(57)【特許請求の範囲】
【請求項１】
トランシーバにおいて、少なくとも１つのセットの復号候補を復号するステップであって、復号候補の各セットは、前記トランシーバについての３次元検索空間内で少なくとも１つの空間レイヤに関連付けられ、前記少なくとも１つのセットの復号候補の中の各復号候補は、少なくとも１つの時間周波数制御チャネル・リソース要素を含んでおり、前記少なくとも１つのセットの複合候補は、少なくとも第１のセットの複合候補および少なくとも第２のセットの複合候補を含み、少なくとも前記第１のセットの復号候補は、送信ダイバーシティを用いて制御情報を送信するように割り当てられ、少なくとも前記第２のセットの復号候補は、送信ダイバーシティを用いずに制御情報を送信するように割り当てられており、ダイバーシティ送信と非ダイバーシティ送信とがサブフレームごとに基づいて動的に切り替えられる、複合するステップと、
前記トランシーバにおいて、制御情報が、前記復号された少なくとも１つのセットの復号候補に基づいて、制御チャネル上に存在するかどうかを検出するステップと
を特徴とする、方法。
【請求項２】
前記トランシーバについての前記３次元検索空間の全体のサイズおよび前記トランシーバについての前記３次元検索空間の空間次元に基づいて、前記少なくとも１つのセットの復号候補のうちの各々において、復号候補の数を決定するステップ
をさらに特徴とする、請求項１に記載の方法。
【請求項３】
前記少なくとも１つのセットの復号候補における復号候補の数は、前記３次元検索空間に関連する空間レイヤの数および前記少なくとも１つのセットの復号候補についての送信ダイバーシティ次数のうちの少なくとも１つに基づいて決定される、請求項１に記載の方法。
【請求項４】
前記少なくとも１つのセットの復号候補は、少なくとも２つのセットの復号候補を含み、前記少なくとも２つのセットの復号候補の各々は、少なくとも部分的にオーバーラップしている時間周波数リソースおよびオーバーラップしていない時間周波数リソースのうちの一方を使用する、請求項１に記載の方法。
【請求項５】
第１のトランシーバにより、制御チャネル上で制御情報を送信するための復号候補のセットから復号候補を選択するステップであって、前記セットの復号候補は、第２のトランシーバについての３次元検索空間内で少なくとも１つの空間レイヤに関連付けられ、前記セットの復号候補の中の前記選択された復号候補は、少なくとも１つの時間周波数制御チャネル・リソース要素を含んでおり、前記セットの復号候補の中の前記選択された復号候補は、少なくとも第１のセットの複合候補および少なくとも第２のセットの複合候補を含み、少なくとも前記第１のセットの復号候補は、送信ダイバーシティを用いて制御情報を送信するように割り当てられ、少なくとも前記第２のセットの復号候補は、送信ダイバーシティを用いずに制御情報を送信するように割り当てられている、選択するステップと、
前記第１のトランシーバから前記第２のトランシーバに、前記選択された復号候補に対応する少なくとも１つの時間周波数制御チャネル・リソース要素を使用して、制御情報を送信するステップであって、ダイバーシティ送信と非ダイバーシティ送信とがサブフレームごとに基づいて動的に切り替えられる、ステップと
を特徴とする、方法。
【請求項６】
第１のトランシーバにより、制御情報が送信ダイバーシティを用いて送信されるべきか、または送信ダイバーシティを用いずに送信されるべきかに基づいて、複数のセットの復号候補の中から復号候補のセットを選択するステップであって、前記複数のセットの復号候補は、送信ダイバーシティを用いて制御情報を送信するように割り当てられた第１のセットの復号候補、および送信ダイバーシティを用いずに制御情報を送信するように割り当てられた第２のセットの復号候補を含み、前記第１のセットの復号候補は、第２のトランシーバについての３次元検索空間内の少なくとも２つの空間レイヤに関連付けられ、前記第２のセットの復号候補は、前記第２のトランシーバについての３次元検索空間内の少なくとも１つの空間レイヤに関連付けられ、前記の第１のセットおよび前記第２のセットの復号候補の中の各復号候補は、少なくとも１つの時間周波数制御チャネル・リソース要素を含んでいる、選択するステップと、
前記第１のトランシーバにより、前記選択されたセットの復号候補から復号候補を選択するステップと、
前記第１のトランシーバから前記第２のトランシーバに、前記選択された復号候補の前記少なくとも１つの時間周波数制御チャネル・リソース要素を使用して、前記制御情報を送信するステップであって、ダイバーシティ送信と非ダイバーシティ送信とがサブフレームごとに基づいて動的に切り替えられる、ステップと
を特徴とする、方法。
【請求項７】
少なくとも１つのセットの復号候補を復号するように構成されたトランシーバであって、復号候補の各セットは、前記トランシーバについての３次元検索空間内で少なくとも１つの空間レイヤに関連付けられ、前記少なくとも１つのセットの復号候補の中の各復号候補は、少なくとも１つの時間周波数制御チャネル・リソース要素を含み、前記少なくとも１つのセットの複合候補は、少なくとも第１のセットの複合候補および少なくとも第２のセットの複合候補を含み、少なくとも前記第１のセットの復号候補は、送信ダイバーシティを用いて制御情報を送信するように割り当てられ、少なくとも前記第２のセットの復号候補は、送信ダイバーシティを用いずに制御情報を送信するように割り当てられており、ダイバーシティ送信と非ダイバーシティ送信とがサブフレームごとに基づいて動的に切り替えられ、前記トランシーバはさらに、制御情報が、前記復号された少なくとも１つのセットの復号候補に基づいて制御チャネル上に存在するかどうかを検出するように構成されている、トランシーバ。
【請求項８】
制御チャネル上で制御情報を送信するための復号候補のセットから復号候補を選択するように構成されたトランシーバであって、前記セットの復号候補は、第２のトランシーバについての３次元検索空間内で少なくとも１つの空間レイヤに関連付けられ、前記セットの復号候補の中の前記選択された復号候補は、少なくとも１つの時間周波数制御チャネル・リソース要素を含み、前記セットの復号候補の中の前記選択された復号候補は、少なくとも第１のセットの複合候補および少なくとも第２のセットの複合候補を含み、少なくとも前記第１のセットの復号候補は、送信ダイバーシティを用いて制御情報を送信するように割り当てられ、少なくとも前記第２のセットの復号候補は、送信ダイバーシティを用いずに制御情報を送信するように割り当てられており、前記トランシーバはさらに、前記トランシーバから前記第２のトランシーバに、前記選択された復号候補に対応する少なくとも１つの時間周波数制御チャネル・リソース要素を使用して、制御情報を送信し、ダイバーシティ送信と非ダイバーシティ送信とをサブフレームごとに基づいて動的に切り替えるように構成されている、トランシーバ。
【請求項９】
制御情報が、送信ダイバーシティを用いて送信されるべきか、または送信ダイバーシティを用いずに送信されるべきかに基づいて、複数のセットの復号候補の中から復号候補のセットを選択するように構成されたトランシーバであって、前記複数のセットの復号候補は、送信ダイバーシティを用いて制御情報を送信するように割り当てられた第１のセットの復号候補、および送信ダイバーシティを用いずに制御情報を送信するように割り当てられた第２のセットの復号候補を含み、前記第１のセットの復号候補は、第２のトランシーバについての３次元検索空間内の少なくとも２つの空間レイヤに関連付けられ、前記第２のセットの復号候補は、前記第２のトランシーバについての３次元検索空間内の少なくとも１つの空間レイヤに関連付けられ、前記第１のセットおよび前記第２のセットの復号候補の中の各復号候補は、少なくとも１つの時間周波数制御チャネル・リソース要素を含み、前記トランシーバはさらに、前記選択されたセットの復号候補から復号候補を選択し、前記トランシーバから前記第２のトランシーバに、前記選択された復号候補の前記少なくとも１つの時間周波数制御チャネル・リソース要素を使用して、前記制御情報を送信し、ダイバーシティ送信と非ダイバーシティ送信とをサブフレームごとに基づいて動的に切り替えるように構成されている、トランシーバ。
【発明の詳細な説明】
【背景技術】
【０００１】
第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のロング・ターム・エボリューション（ＬＴＥ：Ｌｏｎｇ−Ｔｅｒｍ  Ｅｖｏｌｕｔｉｏｎ）ワイヤレス・ネットワークにおいては、制御チャネル（たとえば、ＰＤＣＣＨ）は、ｅノードＢ（ｅＮｏｄｅＢ）から複数のユーザ機器（ＵＥ：ｕｓｅｒ  ｅｑｕｉｐｍｅｎｔｓ）にダウンリンク制御情報（ＤＣＩ：ｄｏｗｎｌｉｎｋ  ｃｏｎｔｒｏｌ  ｉｎｆｏｒｍａｔｉｏｎ）メッセージを搬送する。特定のＵＥを対象としたＤＣＩメッセージは、たとえば、リソース割当てと、トランスポート・フォーマットと、ダウンリンク共用チャネル（ＤＬ−ＳＣＨ：ｄｏｗｎｌｉｎｋ  ｓｈａｒｅｄ  ｃｈａｎｎｅｌ）ハイブリッド自動再送要求（ＡＲＱ：ａｕｔｏｍａｔｉｃ  ｒｅｐｅａｔ  ｒｅｑｕｅｓｔ）とに関する情報を含んでいる。ＤＣＩメッセージは、ＵＥが、ＤＬ−ＳＣＨを受信し、復調し、復号することを可能にする制御信号の一部分である。
【先行技術文献】
【非特許文献】
【０００２】
【非特許文献１】第３世代パートナーシップ・プロジェクト（３ＧＰＰ）ロング・ターム・エボリューション（ＬＴＥ）規格のリリース１１
【非特許文献２】３ＧＰＰのＬＴＥリリース８〜１０
【発明の概要】
【課題を解決するための手段】
【０００３】
少なくとも１つの例示の実施形態は、トランシーバにおいて、少なくとも１つのセットの復号候補を復号するステップであって、そのセットの復号候補は、そのトランシーバについての３次元検索空間内で少なくとも１つの空間レイヤに関連付けられ、その少なくとも１つのセットの復号候補の中の各復号候補は、少なくとも１つの時間周波数制御チャネル・リソース要素を含んでいる、復号するステップと、トランシーバにおいて、制御情報が、復号された少なくとも１つのセットの復号候補に基づいて、制御チャネル上に存在するかどうかを検出するステップとを含む方法を提供する。
【０００４】
少なくとも１つの他の例示の実施形態は、第１のトランシーバにより、制御チャネル上で制御情報を送信するための復号候補のセットから復号候補を選択するステップであって、そのセットの復号候補は、第２のトランシーバについての３次元検索空間内で少なくとも１つの空間レイヤに関連付けられ、選択された復号候補は、少なくとも１つの時間周波数制御チャネル・リソース要素を含んでいる、選択するステップと、第１のトランシーバから第２のトランシーバに、選択された復号候補に対応する少なくとも１つの時間周波数制御チャネル・リソース要素を使用して、制御情報を送信するステップとを含む方法を提供する。
【０００５】
少なくともいくつかの例示の実施形態によれば、少なくとも１つのセットの復号候補のうちの少なくとも２つは、少なくとも部分的にオーバーラップする時間周波数リソースを使用することができる。
【０００６】
少なくとも１つのセットの復号候補は、少なくとも第１のセットの復号候補および少なくとも第２のセットの復号候補を含むことができ、第１のセットの復号候補の中の少なくとも１つの復号候補は、第２のセットの復号候補の中の少なくとも１つの復号候補に対して時間と周波数とにおいて同一である。
【０００７】
少なくともいくつかの例示の実施形態によれば、少なくとも１つのセットの復号候補のうちの少なくとも２つは、同一の時間周波数リソースを使用する。
【０００８】
少なくともいくつかの例示の実施形態によれば、少なくとも１つのセットの復号候補のうちの少なくとも２つは、オーバーラップしない時間周波数リソースを使用する。
【０００９】
少なくとも１つの例示の実施形態は、制御情報を送信するための方法を提供し、本方法は、第１のトランシーバにより、制御情報が、送信ダイバーシティを用いて送信されるべきか、または送信ダイバーシティを用いずに送信されるべきかに基づいて、複数のセットの復号候補の中から復号候補のセットを選択するステップであって、複数のセットの復号候補は、送信ダイバーシティを用いて制御情報を送信するように割り当てられた第１のセットの復号候補および送信ダイバーシティを用いずに制御情報を送信するように割り当てられた第２のセットの復号候補を含み、第１のセットの復号候補は、第２のトランシーバについての３次元検索空間内の少なくとも２つの空間レイヤに関連付けられ、第２のセットの復号候補は、第２のトランシーバについての３次元検索空間内の少なくとも１つの空間レイヤに関連付けられ、第１のセットおよび第２のセットの復号候補の中の各復号候補は、少なくとも１つの時間周波数制御チャネル・リソース要素を含んでいる、選択するステップと、第１のトランシーバにより、選択されたセットの復号候補から復号候補を選択するステップと、第１のトランシーバから第２のトランシーバに、選択された復号候補の少なくとも１つの時間周波数制御チャネル・リソース要素を使用して、制御情報を送信するステップとを含む。
【００１０】
少なくとも１つの他の例示の実施形態は、復号候補を復号するように構成されたトランシーバを提供し、復号候補の各セットは、そのトランシーバについての３次元検索空間内で少なくとも１つの空間レイヤに関連付けられ、少なくとも１つのセットの復号候補の中の各復号候補は、少なくとも１つの時間周波数制御チャネル・リソース要素を含み、トランシーバはさらに、制御情報が、復号された少なくとも１つのセットの復号候補に基づいて制御チャネル上に存在するかどうかを検出するように構成されている。
【００１１】
少なくとも１つの他の例示の実施形態は、制御チャネル上で制御情報を送信するための復号候補のセットから復号候補を選択するように構成されたトランシーバを提供し、復号候補のセットは、第２のトランシーバについての３次元検索空間内で少なくとも１つの空間レイヤに関連付けられ、復号候補のセットの中の選択された復号候補は、少なくとも１つの時間周波数制御チャネル・リソース要素を含み、トランシーバはさらに、トランシーバから第２のトランシーバに、選択された復号候補に対応する少なくとも１つの時間周波数制御チャネル・リソース要素を使用して、制御情報を送信するように構成されている。
【００１２】
少なくとも１つの他の例示の実施形態は、制御情報が、送信ダイバーシティを用いて送信されるべきか、または送信ダイバーシティを用いずに送信されるべきかに基づいて、複数のセットの復号候補の中から復号候補のセットを選択するように構成されたトランシーバを提供し、複数のセットの復号候補は、送信ダイバーシティを用いて制御情報を送信するように割り当てられた第１のセットの復号候補、および送信ダイバーシティを用いずに制御情報を送信するように割り当てられた第２のセットの復号候補を含み、第１のセットの復号候補は、第２のトランシーバについての３次元検索空間内の少なくとも２つの空間レイヤに関連付けられ、第２のセットの復号候補は、第２のトランシーバについての３次元検索空間内の少なくとも１つの空間レイヤに関連付けられ、第１のセットおよび第２のセットの復号候補の中の各復号候補は、少なくとも１つの時間周波数制御チャネル・リソース要素を含み、トランシーバはさらに、選択されたセットの復号候補から復号候補を選択し、トランシーバから第２のトランシーバに、選択された復号候補の少なくとも１つの時間周波数制御チャネル・リソース要素を使用して、制御情報を送信するように構成されている。
【００１３】
本発明は、本明細書において以下で与えられる詳細な説明および添付の図面からより完全に理解されるようになり、そこでは、同様な要素は同様な参照数字によって表され、これらの参照数字は例証としてだけ与えられ、それゆえに本発明を限定するものではない。
【図面の簡単な説明】
【００１４】
【図１】例示のワイヤレス通信ネットワークを示す図である。
【図２】例示の一実施形態による制御情報を送信するための方法を示すフロー・チャートである。
【図３】例示の一実施形態による制御情報を受信するための方法を示すフロー・チャートである。
【図４】３次元（３Ｄ）検索空間の一例を示す図である。
【図５】複数の集約レベルについての例示の空間のセットを示す図である。
【図６】送信ダイバーシティを用いた送信、および送信ダイバーシティを用いない送信について割り当てられた復号候補を含む比較的簡単な例示の検索空間を示す図である。
【図７】別の例示の実施形態による、制御情報を送信するための方法を示すフロー・チャートである。
【図８】種々の集約レベルの間の例示のオーバーラップまたはオフセットを示す図である。
【発明を実施するための形態】
【００１５】
これらの図面は、ある種の例示の実施形態において利用される方法、構造、および／または材料の概括的な特徴を示し、以下に提供される本明細書を補完することを意図していることに注意されたい。これらの図面は、しかしながら、縮尺通りではなく、任意の所与の実施形態についての正確な構造的な、または性能特性を正確に反映していないこともあり、例示の実施形態によって包含される値または特性の範囲を規定するもの、または限定するものとして解釈されるべきではない。様々な図面の中の類似した、または同一の参照番号の使用は、類似した、または同一の要素もしくは特徴の存在を示すことを意図している。
【００１６】
様々な例示の実施形態は、次に、いくつかの例示の実施形態が示されている添付の図面を参照して、より十分に説明される。
【００１７】
詳細な実例となる実施形態が、本明細書において開示される。しかしながら、本明細書において開示される特定の構造的かつ機能的な詳細は、単に、例示の実施形態を説明する目的のために表しているにすぎない。本発明は、しかしながら、多数の代替的な形態で実施されることもあり、本明細書において説明される実施形態だけに限定されるように解釈されるべきではない。
【００１８】
それに応じて、例示の実施形態は、様々な修正形態および代替的な形態とすることができるが、それらの実施形態は、それらの図面において例として示され、本明細書において詳細に説明される。しかしながら、開示される特定の形態だけに例示の実施形態を限定する意図がないことを理解されたい。それとは逆に、例示の実施形態は、本開示の範囲内に含まれるすべての修正形態、同等形態、および代替形態を対象として含むべきである。同様な番号は、それらの図面の説明の全体を通して同様な要素を意味している。
【００１９】
第１の、第２のなどという用語を本明細書において使用して、様々な要素を説明することができるが、これらの要素は、これらの用語によって限定されるべきではない。これらの用語は、１つの要素を別の要素から区別するために使用されるだけである。たとえば、本開示の範囲を逸脱することなく、第１の要素は第２の要素と名付けられる可能性があり、同様に、第２の要素は第１の要素と名付けられることもある。本明細書において使用されるように、「および／または（ａｎｄ／ｏｒ）」という用語は、１つまたは複数の関連するリストアップされた項目についての任意の組合せおよびすべての組合せを含む。
【００２０】
ある要素が、別の要素に「接続されている（ｃｏｎｎｅｃｔｅｄ）」、または「結合されている（ｃｏｕｐｌｅｄ）」と称されるときに、それは他の要素に直接に接続され、または結合されていることも、あるいは介在する要素が存在することもある。対照的に、ある要素が別の要素に「直接に接続されている（ｄｉｒｅｃｔｌｙ  ｃｏｎｎｅｃｔｅｄ）」、または「直接に結合されている（ｄｉｒｅｃｔｌｙ  ｃｏｕｐｌｅｄ）」と称されるときには、介在する要素は存在していない。要素の間の関係を説明するために使用される他の単語も、同様にして解釈されるべきである（たとえば、「間に（ｂｅｔｗｅｅｎ）」に対する「直接に間に（ｄｉｒｅｃｔｌｙ  ｂｅｔｗｅｅｎ）」、「隣接する（ａｄｊａｃｅｎｔ）」に対する「直接に隣接する（ｄｉｒｅｃｔｌｙ  ａｄｊａｃｅｎｔ）」など）。
【００２１】
本明細書において使用される専門用語は、特定の実施形態を説明する目的のためだけであり、限定することを意図してはいない。本明細書において使用されるように、単数形の形式「１つの（ａ）」、「１つの（ａｎ）」、および「その（ｔｈｅ）」は、文脈が、明らかにそうでない場合を示していない限り、同様に複数形の形式を含むことが意図される。「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」という用語は、本明細書において使用されるときに、述べられた機能、整数、ステップ、動作、要素、および／または構成要素の存在を指定するが、１つまたは複数の他の機能、整数、ステップ、動作、要素、構成要素、および／またはそれらのグループの存在または追加を除外するものではないことがさらに理解されよう。
【００２２】
いくつかの代替的な実装形態においては、指摘される機能／行為は、図面の中で言及される順序と異なる順序で起こり得ることにも注意されたい。たとえば、連続して示される２つの図面は、実際には、関与する機能／行為に応じて、実質的に同時に実行されることもあり、または時として逆の順序で実行されることもある。
【００２３】
特定の詳細は、例示の実施形態についての十分な理解を提供するために、以下の説明において提供される。しかしながら、例示の実施形態は、これらの特定の詳細なしに実行され得ることが当業者によって理解されよう。たとえば、システムは、不必要な詳細の形で例示の実施形態をあいまいにしないようにブロック図の形で示されることもある。他の例においては、よく知られている処理、構造、および技法は、例示の実施形態をあいまいにすることを回避するために不必要な詳細なしに示されることもある。
【００２４】
以下の説明においては、実例となる実施形態は、プログラム・モジュールとして実施され得る行為と、動作のシンボリック表現（たとえば、フロー・チャート、流れ図、データ・フロー図、構造図、ブロック図などの形態の）とに関連して説明され、あるいは機能処理は、特定のタスクを実行し、または特定の抽象データ型を実施するルーチン、プログラム、オブジェクト、構成要素、データ構造などを含み、既存のネットワーク要素（たとえば、基地局、基地局制御装置、ノードＢ、ｅノードＢなど）における既存のハードウェアを使用して実施されることもある。そのような既存のハードウェアは、１つまたは複数の中央演算処理装置（ＣＰＵ：Ｃｅｎｔｒａｌ  Ｐｒｏｃｅｓｓｉｎｇ  Ｕｎｉｔｓ）、デジタル信号プロセッサ（ＤＳＰ：ｄｉｇｉｔａｌ  ｓｉｇｎａｌ  ｐｒｏｃｅｓｓｏｒｓ）、特定用途向け集積回路、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙｓ）コンピュータなどを含むことができる。
【００２５】
フロー・チャートは、逐次処理として動作を説明することができるが、動作の多くは、並列に、並行して、または同時に実行されることもある。さらに、動作の順序は、配列し直されることもある。処理は、その動作が完了されるときに、終了されることもあるが、図面の中に含まれていない追加のステップを有することもできる。処理は、方法、関数、プロシージャ、サブルーチン、サブプログラムなどに対応することができる。処理が関数に対応するときに、その終了は、呼び出し関数または主要関数に対する関数のリターンに対応することもある。
【００２６】
本明細書において開示されるように、「ストレージ媒体」または「コンピュータ読取り可能ストレージ媒体」という用語は、リード・オンリー・メモリ（ＲＯＭ：ｒｅａｄ  ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、磁気ＲＡＭ、コア・メモリ、磁気ディスク・ストレージ媒体、光学的ストレージ媒体、フラッシュ・メモリ・デバイス、および／または情報を記憶するための他の有形マシン読取り可能媒体を含めて、データを記憶するための１つまたは複数のデバイスを表すことができる。「コンピュータ読取り可能媒体」という用語は、それだけには限定されないが、ポータブル・ストレージ・デバイスもしくは固定ストレージ・デバイスと、光学的ストレージ・デバイスと、命令および／またはデータを記憶し、含み、または搬送することができる様々な他の媒体とを含むことができる。
【００２７】
さらに、例示の実施形態は、ハードウェア、ソフトウェア、ファームウェア、ミドルウェア、マイクロコード、ハードウェア記述言語、またはそれらの任意の組合せによって実施されることもある。ソフトウェア、ファームウェア、ミドルウェア、またはマイクロコードの形で実施されるときに、必要なタスクを実行するプログラム・コードまたはコード・セグメントは、コンピュータ読取り可能ストレージ媒体など、マシン読取り可能媒体またはコンピュータ読取り可能媒体に記憶されることもある。ソフトウェアの形で実施されるときに、１つまたは複数のプロセッサは、必要なタスクを実行する。
【００２８】
コード・セグメントは、プロシージャ、関数、サブプログラム、プログラム、ルーチン、サブルーチン、モジュール、ソフトウェア・パッケージ、クラス、あるいは命令、データ構造、またはプログラム・ステートメントの任意の組合せを表すことができる。コード・セグメントは、情報、データ、引数、パラメータ、またはメモリ内容を渡すこと、および／または受信することによって別のコード・セグメントまたはハードウェア回路に結合されることもある。情報、引数、パラメータ、データなどは、メモリ共有、メッセージ・パッシング、トークン・パッシング、ネットワーク送信などを含む任意の適切な手段を経由して、渡され、転送され、または送信されることもある。
【００２９】
図１は、１つまたは複数のｅノードＢ１１５に通信可能に結合されるアクセス・ゲートウェイ１２０を含むワイヤレス通信ネットワーク１００を示すものである。アクセス・ゲートウェイ１２０はまた、次には、インターネットおよび／または他の回路、および／またはパケット・データ・ネットワークなど、１つまたは複数の外部ネットワーク１３０に通信可能に結合されるコア・ネットワーク（ＣＮ：ｃｏｒｅ  ｎｅｔｗｏｒｋ）１２５に通信可能に結合される。この構成に基づいて、ネットワーク１００は、互いに、かつ／または外部ネットワーク１３０を経由してアクセス可能な他のユーザ機器またはシステムに対してユーザ機器（ＵＥ）１０５を通信可能に結合する。
【００３０】
ワイヤレス通信ネットワーク１００のより具体的な例は、進化型ユニバーサル地上波無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）である。例示の目的のために、ワイヤレス・ネットワーク１００は、本明細書においては、Ｅ−ＵＴＲＡＮとして説明される。しかしながら、例示の実施形態は、他のネットワークに関連して実施されることもあることを理解されたい。
【００３１】
図１を参照すると、Ｅ−ＵＴＲＡＮ１００はｅノードＢ１１５を含み、このｅノードＢ１１５は、ユーザ機器（ＵＥ）１０５との進化型ユニバーサル地上波無線アクセス（Ｅ−ＵＴＲＡ）のユーザ・プレーン（ＰＤＣＰ／ＲＬＣ／ＭＡＣ／ＰＨＹ）および制御プレーン（ＲＲＣ）のプロトコル終了をもたらす。ｅノードＢ１１５は、Ｘ２インターフェースによって互いに相互接続される。
【００３２】
本明細書において考察されるように、ｅノードＢ１１５は、所与のカバレッジ・エリア（たとえば、１１０−１、１１０−２、１１０−３）内でＵＥ１１５に対して無線アクセスを提供する基地局のことを意味する。このカバレッジ・エリアはセルと称される。しかしながら、知られているように、複数のセルは、多くの場合に単一のｅノードＢに関連付けられる。
【００３３】
さらに、本明細書において使用されるように、「進化型ノードＢ」または「ｅノードＢ」という用語は、ノードＢ、基地局、基地トランシーバ局（ＢＴＳ：ｂａｓｅ  ｔｒａｎｓｃｅｉｖｅｒ  ｓｔａｔｉｏｎ）などの同義語と考えられることもあり、以下で、折に触れて、ノードＢ、基地局、基地トランシーバ局（ＢＴＳ）などと称されることもあり、複数の技術世代にまたがるワイヤレス通信ネットワークにおいて、モバイルと通信し、モバイルにワイヤレス・リソースを提供するトランシーバについて説明している。本明細書において考察されるように、基地局は、本明細書において考察される方法を実行する能力に加えて、従来の、よく知られている基地局にすべてが機能的に関連付けられている可能性もある。
【００３４】
さらに、本明細書において使用されるように、「モバイル・ユニット」という用語は、クライアント、ユーザ機器、移動局、モバイル・ユーザ、モバイル、加入者、ユーザ、リモート局、アクセス端末、レシーバなどの同義語と考えられることもあり、以下で、折に触れて、クライアント、ユーザ機器、移動局、モバイル・ユーザ、モバイル、加入者、ユーザ、リモート局、アクセス端末、レシーバなどと称されることもあり、ワイヤレス通信ネットワークにおけるワイヤレス・リソースのリモート・ユーザについて説明している。
【００３５】
一括して、ＵＥとｅノードＢとは、本明細書において、「トランシーバ」または「無線ネットワーク要素」と称されることもある。
【００３６】
アクセス・ゲートウェイ１２０は、通信可能にｅノードＢ１０５に結合される。アクセス・ゲートウェイ１２０は、ｅノードＢ１０５を制御し、同じマルチメディア・ブロードキャスト単一周波数ネットワーク（ＭＢＳＦＮ：Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）エリアに属するｅノードＢ１０５についてのマルチ・セル・スケジューリングおよび送信を調整する論理エンティティを含んでいる。たとえば、知られているように、アクセス・ゲートウェイ１２０は、とりわけ、ユーザ無線アクセス・ネットワーク（ＲＡＮ：ｒａｄｉｏ  ａｃｃｅｓｓ  ｎｅｔｗｏｒｋ）モビリティ管理プロシージャと、ユーザ・セッション管理プロシージャとを制御する。より詳細には、たとえば、アクセス・ゲートウェイ１２０は、ＵＥの追跡と到達可能性とを制御する。アクセス・ゲートウェイ１２０はまた、差し迫った接続要求（たとえば、ＵＥが呼び出されているとき、またはＵＥを対象とするネットワークにより開始されるデータが着信するとき）について宛先ＵＥに通知するためのページング・メッセージなどの信号メッセージについての送信および／または再送信を制御し、実行する。
【００３７】
例示の実施形態は、ダウンリンク（ｅノードＢからＵＥへの）上の制御情報（たとえば、ダウンリンク制御情報（ＤＣＩ：ｄｏｗｎｌｉｎｋ  ｃｏｎｔｒｏｌ  ｉｎｆｏｒｍａｔｉｏｎ）メッセージ）の送信に関して本明細書において考察される。しかしながら、例示の実施形態は、アップリンク（ＵＥからｅノードＢへの）上の同じ送信または類似した送信にも適用可能とすることもできることを理解されたい。
【００３８】
第３世代パートナーシップ・プロジェクト（３ＧＰＰ）のロング・ターム・エボリューション（ＬＴＥ）規格のリリース１１は、強化された物理ダウンリンク制御チャネル（ｅＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）として知られているダウンリンク制御チャネルを含むことになっている。
【００３９】
ｅＰＤＣＣＨは、ｅノードＢから１つまたは複数のユーザ機器（ＵＥ）にＤＣＩメッセージを搬送する。ＤＣＩメッセージは、異なる時間周波数送信リソースを使用してｅＰＤＣＣＨ上で送信されることもあり、リソースの異なる量を使用する可能性もある。
【００４０】
ｅＰＤＣＣＨなど、３ＧＰＰのＬＴＥ制御チャネルについてのリソースの基本ユニットは、制御チャネル要素（ＣＣＥ：ｃｏｎｔｒｏｌ  ｃｈａｎｎｅｌ  ｅｌｅｍｅｎｔ）と称されることもある。３ＧＰＰのＬＴＥリリース８〜１０によれば、ＣＣＥは、３６個のリソース要素（ＲＥ：ｒｅｓｏｕｒｃｅ  ｅｌｅｍｅｎｔ）を含んでいる。しかしながら、ｅＰＤＣＣＨについてのＣＣＥは、任意の適切な異なる数のＲＥを使用することができる。さらに、本明細書において考察されるように、ＣＣＥは、時間周波数制御チャネル・リソース要素と称される可能性もある。
【００４１】
異なるＤＣＩメッセージについて使用される異なる量の時間周波数リソースは、異なる数のＣＣＥ（たとえば、１個、２個、４個または８個のＣＣＥ）を集約することにより生成される。集約レベル（たとえば、１、２、４、または８）は、異なるＤＣＩメッセージを送信するために使用される異なる量のリソースを生成するために集約されるＣＣＥの数の表示である。
【００４２】
所与のサブフレームにおいて、ＤＣＩメッセージを受信することを期待するＵＥは、１つまたは複数の検索空間を監視して、ｅＰＤＣＣＨが、ＵＥを対象とするＤＣＩメッセージを含むかどうかを確認する。ＵＥは、各集約レベルについて検索空間を有することができ、各検索空間は、複数の復号候補を含むことができる。各復号候補は複数のＣＣＥを含むことができ、各ＣＣＥは複数のＲＥを含むことができる。
【００４３】
検索空間における復号候補ごとに、ＵＥは、「ブラインド復号化」とＣＲＣチェックとを実行して、ｅＰＤＣＣＨが、ＵＥについてのＤＣＩメッセージを含むかどうかを決定する。ＵＥの特定の識別情報（ＩＤ）によるＣＲＣ−スクランブリングの使用は、ＵＥが、別のＵＥを対象とするＤＣＩメッセージを誤って復号できないようにする。ブラインド復号化とＣＲＣチェックとについての方法が知られているので、詳細な考察は省略される。
【００４４】
ＬＴＥリリース８〜１０におけるＰＤＣＣＨについての検索空間は、サブフレーム（これは、ＵＥ  ＩＤの関数である）における単なる時間周波数リソース（２つの次元における）と、集約レベル当たりの復号候補の数と、受信されるべき特定のＤＣＩフォーマット（たとえば、ＤＣＩメッセージ当たりの情報ビットの数）との観点から規定される。ブラインド復号化の総数は、ＵＥの能力および／または複雑さによって制限される。ＬＴＥリリース８〜１０においては、復号候補の総数は、ＵＥの能力に応じてキャリア当たりに４４または６０に設定される。
【００４５】
レガシーＰＤＣＣＨに比べてｅＰＤＣＣＨの容量（たとえば、サブフレーム当たりのＤＣＩメッセージの数）を増大させるために、ｅＰＤＣＣＨは、他のものに対してではないが、いくつかのＵＥに対するＤＣＩメッセージについての送信ダイバーシティを利用する能力と、ｅＰＤＣＣＨ上でマルチ・ユーザ多入力多出力（ＭＵ−ＭＩＭＯ）を利用する能力と、ｅＰＤＣＣＨ上で単一ユーザＭＩＭＯ（ＳＵ−ＭＩＭＯ）を利用する能力とを含む。マルチ・ユーザＭＩＭＯ能力により、種々のＵＥに対して送信されているＤＣＩメッセージは、同じ時間周波数リソースを使用することができるようになるが、ただし異なるアンテナ・ポート（空間レイヤとも称される）を使用する。単一ユーザＭＩＭＯにより、同じＵＥに対して送信されている複数のＤＣＩメッセージが、同じ時間周波数リソースを使用することができるようになるが、ただし異なるアンテナ・ポートを使用する。
【００４６】
知られているように、アンテナ・ポートは論理エンティティであり、この論理エンティティは、物理アンテナと１：１にマッピングすることができない。アンテナ・ポートは、空間レイヤに関連している。空間レイヤは、空間多重化によって生成されるストリームのことを意味する。すなわち、たとえば、レイヤは、送信アンテナ・ポート上へのシンボルのマッピングとして説明されることもある。
【００４７】
少なくともいくつかの例示の実施形態によれば、所与のＵＥについてのｅＰＤＣＣＨ検索空間は、周波数ドメイン、時間ドメインおよび空間ドメインの中で規定され、このようにして３次元（３Ｄ）と考えられることもある。検索空間の定義に対する空間ドメインの追加は、アンテナ・ポート（または空間レイヤ）の数を使用することにより達成されることもある。
【００４８】
この考察のために、所与のＵＥについてのｅＰＤＣＣＨ検索空間の合計サイズ（たとえば、復号候補のセットの合計サイズ）が、複数のセットに部分分割されることが仮定されており、これらのセットは、本明細書において「空間のセット」と称される。本明細書において考察されるように、空間のセットは、３Ｄ検索空間内の１つまたは複数のアンテナ・ポート（または空間レイヤ）の特定のセットを使用した復号候補のセットであり、ここでは、３つの次元は、時間、周波数、および空間である。
【００４９】
図２は、例示の一実施形態による制御チャネル情報（たとえば、ＤＣＩメッセージ）を送信するための方法を示すフロー・チャートである。図２に示される方法は、ｅノードＢ１１５から単一のＵＥ１０５への制御情報の送信に関して考察されることになる。しかしながら、各ｅノードＢ１１５は、複数のＵＥに関して類似した動作／行為を実行することができることが、理解されよう。
【００５０】
図２を参照すると、ステップＳ１６０において、ｅノードＢ１１５は、ＵＥ１０５についての検索空間を分割すべき空間のセットの数を決定する。少なくともいくつかの例示の実施形態によれば、ｅＰＤＣＣＨについての所与のＵＥの検索空間の空間次元は構成可能であるが、ＵＥの検索空間の合計サイズ（ブラインド復号化の数とも称される）Ｎは、検索空間の空間次元とは独立している。１つの例においては、ＵＥの検索空間の合計サイズは、ＵＥの能力に基づいて与えられ、またはあらかじめ決定される。
【００５１】
ＵＥについての３Ｄ検索空間の空間次元ｓは、以下に示される式（１）に従って構成可能であり、決定される。
【数１】
0005959666.tif 000002
【００５２】
式（１）において、ｎａｐは、検索空間のために使用されるアンテナ・ポート（または空間レイヤ）の数であり、Ｏｔｘｄは、ＵＥについてのｅＰＤＣＣＨのために使用される送信ダイバーシティ次数を意味している。
【００５３】
少なくともいくつかの例示の実施形態によれば、異なる空間のセットは、異なるダイバーシティ次数の値を有することができる。そのようにして、１つまたは複数の空間レイヤは、送信ダイバーシティを利用することができない（１というダイバーシティ次数を有する）のに対して、１つまたは複数の他の空間レイヤは、送信ダイバーシティを使用することができる（たとえば、２というダイバーシティ次数を有する）。
【００５４】
ＵＥ１０５についての検索空間の空間次元ｓを決定しており、ステップＳ１８０において、ｅノードＢ１１５は、以下に示される式（２）に従って、ＵＥ１０５についての検索空間の各空間のセットの中の復号候補の数ｎｄｃを決定する。
【数２】
0005959666.tif 000003
【００５５】
上述のように、Ｎは、ＵＥ１０５についての３Ｄ検索空間の合計サイズを意味しており、ｓは、ＵＥ１０５についての検索空間の空間次元を意味している。それゆえに、少なくともいくつかの例示の実施形態によれば、ＵＥ１０５についての検索空間は、ｓ個の空間のセットを含むことができ、ここでは各空間のセットは、
【数３】
0005959666.tif 000004
個の復号候補を含んでいる。
【００５６】
例示の実施形態は、
【数４】
0005959666.tif 000005
個の復号候補を含む各空間のセットに関して考察されるが、ＵＥの検索空間内の１つまたは複数の空間のセットは、たとえば、所与の空間レイヤのダイバーシティ次数に応じて異なる数の復号候補を有することができる。
【００５７】
さらに、ステップＳ１８０を参照すると、ｅノードＢ１１５はまた、各復号候補の中に含まれるべき時間周波数リソース（たとえば、ＣＣＥ）の数を決定する。ｅノードＢ１１５は、任意の従来の、または知られている方法を使用して、各復号候補における時間周波数リソースの数を決定することができる。そのようにするための方法は知られているので、詳細な考察は省略される。
【００５８】
少なくともいくつかの例示の実施形態によれば、ＵＥに対する別個の制御信号（たとえば、より高位レイヤの信号）を使用して、任意の残りの知られていない量が、たとえば、仕様、ネットワーク・オペレータ、ネットワーク制御装置などによって与えられ、またはあらかじめ決定されており、１つまたは複数のＮ、ｓ、ｎａｐ、すなわち、関連のあるアンテナ・ポートの識別情報と、Ｏｔｘｄとを示すことができる。これらの情報を用いて、ＵＥは、空間のセットの数、各検索空間における復号候補の数、および／または各復号候補における時間周波数リソースの数を決定することもできる。代わりに、これらのパラメータは、仕様、ネットワーク・オペレータ、ネットワーク制御装置などによって与えられ、またはあらかじめ決定され、ｅノードＢとＵＥの両方において知られていることもある。
【００５９】
より具体的な例においては、ＵＥ１０５についての３Ｄ検索空間の合計サイズＮが４４であり、送信ダイバーシティがｅＰＤＣＣＨのために使用されず（Ｏｔｘｄ＝１）、アンテナ・ポートの数ｎａｐが４である場合、空間次元（空間のセットの数）は、
【数５】
0005959666.tif 000006
であり、各空間のセットの中の時間周波数復号候補の数は１１である。これらの復号候補は、単一の集約レベルについてのものであり、またはいくつかの集約レベルを通して広がることができる。さらに、各空間のセットにおける復号候補の数は、平均して１１となることもあるが、異なる空間のセットでは異なることもある。
【００６０】
別の例においては、所与のＵＥでは、ＵＥ１０５についての３Ｄ検索空間の合計サイズＮが４４であり、２つのアンテナ・ポートが送信ダイバーシティについて構成され（Ｏｔｘｄ＝２）、ＵＥによって考えられるべきアンテナ・ポートの数ｎａｐが４である場合、空間次元は、
【数６】
0005959666.tif 000007
である。この場合に、各空間のセットの中の復号候補の数は２２である。以前の例と同様に、各空間のセットの中の復号候補の数は、平均して２２になることもあるが、異なる空間のセットでは、異なることもある。
【００６１】
図２に戻って参照すると、ｅノードＢ１１５が、ＵＥ１０５に対して制御情報（たとえば、ＤＣＩメッセージを送信することを意図しているときに、ｅノードＢ１１５は、ステップＳ２００においてＵＥ１０５についての検索空間内で空間のセットから復号候補を選択する。１つの例においては、ｅノードＢ１１５は、ＵＥ１０５についての無線周波数状態および／または他のＵＥとの協調（たとえば、ＭＵ−ＭＩＭＯを使用すべき別のＵＥとペアになること、または他のＵＥによって使用されない復号候補を選択すること）に基づいて特定の空間のセットから復号候補を選択する。
【００６２】
ステップＳ２００において復号候補を選択した後に、ｅノードＢ１１５は、ステップＳ２０２において、制御情報をチャネル符号化する。よく知られているように、チャネル符号化は、巡回冗長チェック・アタッチメントと、畳み込み符号化と、レート・マッチングとを含むことができる。知られてもいるように、チャネル符号化が実行される方法は、選択された復号候補（たとえば、選択された復号候補の集約レベル）に依存する。
【００６３】
ステップＳ２０３において、ｅノードＢ１１５は、ｅＰＤＣＣＨのトランスポート・フォーマットに従って、選択された復号候補の中の時間周波数リソース（たとえば、ＣＣＥ）にチャネル符号化された制御情報をマッピングする。
【００６４】
次いで、マッピングされたチャネル符号化された制御情報は、スクランブルされ、変調され、レイヤ・マッピングされ、あらかじめ符号化された後に初めて、送信のための複雑な変調されたシンボルに変換される。ステップＳ２０４において、ｅノードＢ１１５は、制御情報をＵＥ１０５に対して送信する。
【００６５】
図３は、例示の一実施形態による、制御情報を受信するための方法を示すフロー・チャートである。図３に示される方法は、図２に関して上記で考察されるように、ｅノードＢ１１５によって送信される制御情報の、ＵＥ１０５における受信に関して説明される。
【００６６】
図３を参照すると、シンボルの結合と、復調と、受信されたシンボルのスクランブル解除との後に、ＵＥ１０５は、ＵＥ１０５についての検索空間のブラインド復号化を実行する。すなわち、たとえば、ＵＥ１０５は、ＵＥ１０５についての検索空間において、空間のセットから復号候補のブラインド復号化を実行する。上述のように、ＵＥ１０５についての検索空間は、ＵＥ１０５において知られており、または決定される。
【００６７】
ステップＳ３０２において、ＵＥ１０５は、制御チャネルが、ブラインド復号化された復号候補に基づいて、ＵＥ１０５を対象とする制御情報を搬送しているかどうかを決定する。ＵＥ１０５が、ＵＥ１０５を対象とする制御情報が制御チャネル上に存在していないことを決定する場合、処理は終了する。
【００６８】
ステップＳ３０２に戻って参照すると、ＵＥ１０５が、ＵＥ１０５を対象とする制御情報が制御チャネル上に存在していることを決定する場合、ＵＥ１０５はステップＳ３０４において、送信された制御情報を回復するように制御チャネルを処理する。ＵＥ１０５は、任意の知られている方式で制御チャネルを処理することができる。ｅＰＤＣＣＨなど、制御チャネルを回復するための方法は当技術分野において知られているので、詳細な考察は、簡潔にするために省略される。
【００６９】
次いで、回復された制御情報を使用して、ＤＬ−ＳＣＨ上で送信されるデータを受信し、回復する。この受信と回復とが実行される方法は知られているので、詳細な考察は省略される。
【００７０】
少なくともいくつかの例示の実施形態は、時間リソース、周波数リソース、および空間リソースを含む３Ｄ制御チャネル要素（ＣＣＥ）を提供および利用している。これは、制御情報が、送信ダイバーシティおよび／または空間多重化を使用して送信されることを可能にしており、すなわち、制御情報は、２つ以上の独立したソース（たとえば、アンテナ）から送信される。送信ダイバーシティおよび空間多重化は当技術分野において知られているので、詳細な考察は省略される。
【００７１】
少なくともいくつかの例示の実施形態によれば、２つ以上の空間のセットにおける復号候補の時間周波数リソースは、オーバーラップする可能性がある。
【００７２】
１つの例においては、制御情報が、送信ダイバーシティを用いずにｅＰＤＣＣＨ上で送信される場合、ＵＥの検索空間の中の第ｉの空間のセットは、第ｉのアンテナ・ポート（第ｉの空間レイヤに関連する）を使用したすべての復号候補を含み、ここでｉ＝｛１，２，…，８｝である。別の例においては、制御情報が、送信ダイバーシティを用いて、ｅＰＤＣＣＨ上で送信される場合、第ｉの空間のセットは、第ｊのアンテナ・ポートと第（ｊ＋１）のアンテナ・ポートとを使用したすべての復号候補を含み、ここでｊ＝｛１，２，…，８｝である。この例においては、第ｉの空間のセットは、複数のアンテナ・ポート（または空間レイヤ）に関連する復号候補を含んでいる。
【００７３】
集約レベルαにおける所与のＵＥについての３Ｄ検索空間は、オーバーラップしていない時間周波数リソース、部分的にオーバーラップしている時間周波数リソース、または完全にオーバーラップしている（同一の）時間周波数リソースを有する少なくとも２つの空間のセットを含んでいる。
【００７４】
所与のＵＥについての３Ｄ検索空間が、部分的にオーバーラップしている時間周波数リソース、または同一の時間周波数リソースを有する少なくとも２つの空間のセットを含むときには、３Ｄ検索空間は、ｅＰＤＣＣＨのＳＵ−ＭＩＭＯ動作とＭＵ−ＭＩＭＯ動作の両方をサポートすることができる。
【００７５】
空間のセットのうちの１つの中の少なくとも１つの復号候補が、ＵＥの検索空間内の別の空間のセットの中の少なくとも１つの復号候補と、時間および周波数において同一である場合、ＳＵ−ＭＩＭＯが、所与のＵＥについての検索空間の中の復号候補の存在を必要とするので、ＳＵ−ＭＩＭＯ動作はサポートされ、この所与のＵＥは、異なる空間のセットにおいて同じ時間周波数リソースを使用する。
【００７６】
２つ以上のＵＥの復号候補が、オーバーラップしている時間周波数リソースを利用するが、異なるアンテナ・ポートを用いる場合、ＭＵ−ＭＩＭＯが、２つ以上のＵＥについての検索空間の中の復号候補の存在を必要とするので、ｅＰＤＣＣＨのＭＵ−ＭＩＭＯ動作はサポートされ、これら２つ以上のＵＥは同じ時間周波数リソースを使用するが、異なるアンテナ・ポートを用いている。
【００７７】
少なくともいくつかの例示の実施形態によれば、規定された３Ｄ検索空間は、ＳＵ−ＭＩＭＯまたはＭＵ−ＭＩＭＯにおいて動的に動作させられることもある。３Ｄ検索空間はＵＥ特有であり、ＵＥの能力に基づいてｅノードＢによって構成されることもある。
【００７８】
少なくともいくつかの例示の実施形態によれば、オーバーラップの程度（以下でβと称される）、または代わりに、１つの空間のセットから別の空間のセットへの時間周波数空間におけるオフセットのサイズは、ネットワークによって、制御され、かつ／または信号で伝えられる（たとえば、仕様、ネットワーク・オペレータ、ネットワーク制御装置などによって決定される）こともある。
【００７９】
図４は、３ＤのＣＣＥを含む２つの例示の空間のセットを示すものである。この例においては、「空間のセット＃１」は、３ＧＰＰのＬＴＥシステムにおけるアンテナ・ポート＃７に対応する可能性があるのに対して、「空間のセット＃２」は、アンテナ・ポート＃８に対応する可能性がある。この場合には、各空間のセットは、異なる空間レイヤまたはアンテナ・ポートに関連付けられる。
【００８０】
別の例においては、「空間のセット＃１」が、送信ダイバーシティ（たとえば、空間−周波数ブロック符号化（ＳＦＢＣ：ｓｐａｃｅ−ｆｒｅｑｕｅｎｃｙ  ｂｌｏｃｋ  ｃｏｄｉｎｇ））を使用したアンテナ・ポート＃７および８に対応することができるのに対して、「空間のセット＃２」は、送信ダイバーシティを使用したアンテナ・ポート＃９および１０に対応することができる。この場合には、各空間のセットは、２つの空間レイヤに関連付けられるが、各空間のセットに関連付けられる空間レイヤは、異なっている。
【００８１】
少なくともいくつかの例示の実施形態によれば、復号候補の第１のセット（たとえば、空間のセット＃１）の中の少なくとも１つの復号候補と、復号候補の第２のセット（たとえば、空間のセット＃２）の中の少なくとも１つの復号候補とは、時間および周波数において少なくとも部分的にオーバーラップする。図４に示される例においては、空間のセット＃１の時間リソースは、空間のセット＃２の時間リソースに完全にオーバーラップするのに対して、空間のセット＃１の周波数リソースは、空間のセット＃２の周波数リソースに部分的にオーバーラップするだけである。
【００８２】
少なくともいくつかの例示の実施形態によれば、異なる集約レベルが存在している場合に、オーバーラップまたはオフセットのサイズは、異なる集約レベルの間で同じであり、または異なっていることもある。この場合には、オーバーラップまたはオフセットのサイズは、各集約レベルについて独立に、ネットワークによって制御され、かつ／または信号で伝えられることもある。一例が図８に示されており、この図では、時間周波数次元は、ＣＣＥインデックスの観点から、明確にするために単一の軸に折り畳まれる。図８においては、集約レベル１はＡＬ１と称され、集約レベル２はＡＬ２と称され、集約レベル４はＡＬ４と称され、集約レベル８はＡＬ８と称される。
【００８３】
ただ２つの空間のセットが図４には示されているが、例示の実施形態は、空間のセットの任意の適切な数字（たとえば、２、４、８など）と一緒に実施されることもある。
【００８４】
上記で考察された３ＤのＣＣＥを利用することにより、ｅノードＢは、ｅＰＤＣＣＨなどの制御チャネル上でＵＥに対して制御情報を送信するときに、送信ダイバーシティを利用することができる。
【００８５】
図５は、複数の集約レベルについての３ＤのＣＣＥの空間のセットについての例示の一実施形態を示すものである。
【００８６】
図５を参照すると、集約レベル１についての空間のセットは、図４に示される空間のセットと同じである。しかしながら、集約レベル２では、各空間のセットの中の３ＤのＣＣＥは集約され、空間のセットは、単一の集約されたオーバーラップする時間周波数リソースだけによってオーバーラップする。
【００８７】
少なくともいくつかの例示の実施形態によれば、所与のＵＥについての３Ｄ検索空間の中に集約レベルαを有するＮα個の復号候補が存在する場合、ＵＥ特有の３Ｄ検索空間の中にｓ個の空間のセットが存在している。少なくとも１つの例示の実施形態においては、可能性のある復号候補の全体のセット（所与のＵＥについての集約レベルαにおける）は、構成可能なパラメータを使用した、所与の、所定の、または指定された規則に従って（たとえば、ＵＥのＩＤの関数に従って）、時間周波数空間において順序付けられ、第ｉの空間のセットの復号候補についての時間周波数リソース（たとえば、ＣＣＥ）は、所与の、所定の、または指定された規則に従って、たとえば、第
【数７】
0005959666.tif 000008
のリソースで開始される最初の
【数８】
0005959666.tif 000009
個のリソースである。
【００８８】
たとえば、β＝０．５は、２つの隣接する空間レイヤの時間周波数候補の間で、約５０％のオーバーラップをもたらす。
【００８９】
値β＝０は、すべての空間レイヤの時間周波数候補の間で全体的なオーバーラップをもたらす（たとえば、ＳＵ−ＭＩＭＯ動作のために最適化される）。
【００９０】
値β＞１．０は、５０％より低くオーバーラップを低減させることができる。空間のセットの時間周波数候補の間にオーバーラップが少しも存在していないときには、ＭＵ−ＭＩＭＯだけがサポートされるが、ＳＵ−ＭＩＭＯはサポートされない。
【００９１】
少なくともいくつかの例示の実施形態によれば、各空間のセットの候補の時間周波数リソースについての開始ポイントがＵＥにおいて知られていることを仮定すると、値βは、ＵＥに対して信号で伝えられる必要はなく、またはＵＥに知られている必要はない。それゆえに、異なる空間のセットの間の時間周波数空間の中のオフセットは、各空間のセットごとに異なっている可能性がある。値β、または各空間のセットの開始ポイントは、各ＵＥについて構成されており、より高位レイヤの信号を経由してＵＥに対して配信される可能性があり、これは、当技術分野においてよく知られている。
【００９２】
少なくとも１つの例示の実施形態においては、可能性のある復号候補の全体のセットは、巡回的にインデックス付けされることもある。すなわち、たとえば、全体の構成された時間周波数空間の端部を超えたオーバーフローに対するインデックス付けを引き起こすオフセットは、構成された時間周波数空間の開始において継続するインデックス付けをもたらす。
【００９３】
少なくともいくつかの例示の実施形態によれば、各空間のセットは、異なる数の復号候補を含むことができる（たとえば、第ｉの空間のセットの中の集約レベルαを有する候補の数は、Ｎαｉとすることができる）。
【００９４】
少なくとも部分的にオーバーラップする時間リソースおよび／または周波数リソースを使用した空間のセットを利用して、図２および図３に関して上記で考察されるように、ｅＰＤＣＣＨ上で制御情報を送信し、かつ／または受信することができる。
【００９５】
少なくともいくつかの例示の実施形態によれば、ｅノードＢ１１５は、サブフレームごとに基づいて検索空間内で復号候補の間でオーバーラップを動的に変化させ、かつ／または変更することができる。
【００９６】
上述のように、レガシーＰＤＣＣＨに比べてｅＰＤＣＣＨの容量（たとえば、サブフレーム当たりのＤＣＩメッセージの数）を増大させるために、ｅＰＤＣＣＨは、いくつかのＵＥに対しては、ＤＣＩメッセージについて送信ダイバーシティ（ＴｘＤ）を利用することができるが、他に対しては利用することができない。しかしながら、従来、ＴｘＤを使用する構成、またはＴｘＤを使用していない構成は、セル・ベースで設定される構成されたｅＰＤＣＣＨリソース当たりのものであるが、これは、セルの中で設定される構成されたｅＰＤＣＣＨリソース内のすべてのＵＥが、同じ構成を有することを意味している。それゆえに、広く行き渡っている無線伝搬チャネル状態に従って設定される構成されたｅＰＤＣＣＨリソース上の所与のＵＥについてのＴｘＤと非ＴｘＤとの間の最適化された動的切替えは可能ではない。
【００９７】
例示の実施形態は、ｅＰＤＣＣＨ上のＴｘＤ送信の使用と、非ＴｘＤ送信の使用との間の動的切替えを提供する。
【００９８】
少なくともこの例示の実施形態によれば、所与のＵＥについてのｅＰＤＣＣＨ検索空間は、サブセットに部分分割され、ここでは１つのサブセットは、ＴｘＤを使用したｅＰＤＣＣＨメッセージのために割り当てられ、別の空間サブセットは、ＴｘＤのないｅＰＤＣＣＨメッセージ（非ＴｘＤメッセージ）のために割り当てられる。たとえば、ｅノードＢは、所与のＵＥの検索空間の半分をＴｘＤメッセージに対して割り当て、他の半分を非ＴｘＤメッセージに対して割り当てることを選択することができる。
【００９９】
例示の実施形態を利用することにより、ｅノードＢは、ＴｘＤを有する送信のために割り当てられる空間のセット、またはＴｘＤのない送信のために割り当てられる空間のセットのいずれかを選択することにより、サブフレームごとに基づいて（たとえば、サブフレームからサブフレームに）所与のＵＥについてｅＰＤＣＣＨ上のＴｘＤ送信と、非ＴｘＤ送信との間で動的に切り替えることができる。
【０１００】
図６は、ＴｘＤを有する送信（ＴｘＤ送信と称される）のために割り当てられる復号候補と、ＴｘＤのない送信（非ＴｘＤ送信と称される）のための復号候補とを含む比較的簡単な例示の検索空間を示すものである。図６においては、サブセット＃１およびサブセット＃２は、非ＴｘＤ送信のために割り当てられるのに対して、サブセット＃３は、ＴｘＤ送信のために割り当てられる。図６において、サブセット＃１、サブセット＃２、サブセット＃３の各々は、ＵＥの検索空間内の空間のセットを意味する。
【０１０１】
少なくともいくつかの例示の実施形態によれば、検索空間の異なるサブセットは、時間周波数空間において、インターリーブされることもある。検索空間の中の各サブセットは、１つまたは複数の集約レベルを含むことができる。
【０１０２】
図７は、別の例示の実施形態による、制御情報を送信するための方法を示すフロー・チャートである。図７に示される方法は、ｅノードＢが、ｅＰＤＣＣＨなどの制御チャネル上でサブフレームの間の、制御情報のＴｘＤ送信と非ＴｘＤ送信との間で動的に切り替わる例示の一実施形態である。
【０１０３】
図７を参照すると、ステップＳ６００において、ｅノードＢ１１５は、ＴｘＤが制御情報を送信するために必要であるかどうかを決定する。ｅノードＢ１１５は、制御情報が送信される時に、ＴｘＤが、広く行き渡っている無線伝搬チャネル状態に従って、必要であるかどうかを決定することができる。たとえば、伝搬損失が高い、またはフェーディングが激しいときに、ｅノードＢ１１５はＴｘＤを使用することを選択することができる。
【０１０４】
ｅノードＢ１１５が、現在のサブフレームにおいて制御チャネル上で制御情報を送信するためにＴｘＤを使用することを決定する場合、ステップＳ６０２において、ｅノードＢ１１５は、ＴｘＤを有する制御情報の送信のために割り当てられる復号候補のセットを選択する。
【０１０５】
ステップＳ６０４において、ｅノードＢ１１５は、図２におけるステップＳ２００に関して上記で考察された方法と同じ方法、または類似した方法で、ＴｘＤを有する送信のために割り当てられる復号候補の選択されたセットから復号候補を選択する。
【０１０６】
ステップＳ６０５において、ｅノードＢ１１５は、図２におけるステップＳ２０２に関して上記で考察された方法と同じ方法、または類似した方法で、制御情報をチャネル符号化する。
【０１０７】
ステップＳ６０６において、ｅノードＢ１１５は、図２におけるＳ２０３に関して上記で考察されるようなｅＰＤＣＣＨのトランスポート・フォーマットに従って選択された復号候補においてチャネル符号化された制御情報をＣＣＥに対してマッピングする。次いで、マッピングされたチャネル符号化された制御情報は、送信のための複雑な変調されたシンボルに変換される前に、スクランブルされ、変調され、レイヤ・マッピングされ、あらかじめ符号化される。
【０１０８】
ステップＳ６０８において、ｅノードＢ１１５は、図２におけるステップＳ２０４に関して上記で考察されるように、制御情報をＵＥ１０５に対して送信する。
【０１０９】
ステップＳ６００に戻ると、ｅノードＢ１１５が、現在のサブフレームの中の制御チャネル上で制御情報を送信するためのＴｘＤの使用が必要ではないことを決定する場合、ｅノードＢ１１５は、ステップＳ６１０において、ＴｘＤを用いずに制御情報の送信のために割り当てられる復号候補のセットを選択する。
【０１１０】
次いで、処理は、ステップＳ６０４と、Ｓ６０５と、Ｓ６０６と、Ｓ６０８とに関して上記で考察されるように進行する。
【０１１１】
図６および図７に関して上記で考察される少なくとも例示の実施形態は、ｅＰＤＣＣＨなどの制御チャネルの検索空間の中に、送信ダイバーシティ動作と非送信ダイバーシティ動作との両方を組み込む方法を提供する。
【０１１２】
本発明はこのようにして説明されており、同じことが、多くのやり方で変形され得ることが明らかであろう。そのような変形形態は、本発明から逸脱するものと見なされるべきではなく、すべてのそのような修正形態は、本発明の範囲内に含まれることを意図している。
【図１】
0005959666.tif 000010
【図２】
0005959666.tif 000011
【図３】
0005959666.tif 000012
【図４】
0005959666.tif 000013
【図５】
0005959666.tif 000014
【図７】
0005959666.tif 000015
【図８】
0005959666.tif 000016
【図６】
0005959666.tif 000017